(57)【要約】      （修正有）【課題】栽培ベッド自体で強度を維持できる栽培ベッド、及びこの栽培ベッド上を走行できる、汎用性のある栽培ベッド走行用台車を提供する。【解決手段】栽培ベッド１の両側壁３の内側及び／又は外側に補強部４を一体に設ける。また、栽培ベッド１上を走行可能な栽培ベッド走行用台車５は、耕耘機１０や栽培用資材を必要に応じて搭載脱着できるフレーム６とこのフレーム６の４隅に、栽培ベッドの両側壁の上部を両側から挟むフランジ７ａが形成されている車輪７を備える。【選択図】図４
2007020431.tif 000002
【特許請求の範囲】
【請求項１】
栽培ベッドの側壁に垂直の補強部を一体に設けたことを特徴とする栽培ベッド。
【請求項２】
前記補強部は側壁の内側及び／又は外側に設けることを特徴とする請求項１記載の栽培ベッド。
【請求項３】
前記補強部は、棒状の肉厚部を一定間隔で複数設けることを特徴とする請求項１又は２記載の栽培ベッド。
【請求項４】
請求項１、２又は３に記載の栽培ベッドの上を走行可能な栽培ベッド走行用台車であって、栽培ベッド走行用台車は、汎用の耕耘機や栽培用資材を搭載できるフレームと、このフレームの４隅の下部に、栽培ベッドの両側壁の上部を両側から挟むフランジが形成されている車輪を備えたことを特徴とする栽培ベッド走行用台車。
【発明の詳細な説明】
【技術分野】
【０００１】
本発明は、養液栽培などに使用する栽培ベッド及びこの栽培ベッド上を走行可能な走行用台車に関するものである。
【背景技術】
【０００２】
植物の養液栽培には上方に向けて開放された断面略コ字状の栽培ベッドが使用され、栽培ベッドに培地を収納して植物の栽培が行われている（特許文献１参照）。養液栽培用の栽培ベッドには、例えば、発泡スチロール製栽培ベッドが使用されており、側壁の厚みは２０〜２５ｍｍ程度である。栽培ベッド内に培地を収容した際に培地の荷重により両側壁が外側へ膨らむことがある。このような状態になると栽培途中で培地内に隙間が発生して乾燥気味になるなどの問題が生じる。そのため、パイプ等の保持支柱により両側壁の外側を保持のために押さえ込む施工を行っている。
【０００３】
また、栽培ベッド内の培地を耕したり、苗を運搬したりするために、耕耘機搭載用台車が使用されるが、耕耘機搭載用台車は栽培ベッドの両側に別途設けたパイプなどのレール上を走行させている（特許文献２参照）。
【特許文献１】特開平７−１１１８３９号公報
【特許文献２】特開２００４−１１３０６３号公報
【発明の開示】
【発明が解決しようとする課題】
【０００４】
従来の栽培ベッドでは、必要な強度を保持するための保持支柱や台車の走行用レールの施工が面倒で、施工費も増大するという問題があった。また、側壁の強度を増すために側壁の厚み自体を増すことは、栽培ベッドそのものの製作コストを増大することとなって限界があった。また、発泡スチロール製栽培ベッド内の培地を耕耘したり、苗を運搬したりする際に使用できる、汎用性のある栽培ベッド走行用台車はなかった。
【０００５】
そこで、本発明は、栽培ベッド自体で必要な強度を維持できる栽培ベッド、及びこの栽培ベッド上を走行できる、汎用性のある栽培ベッド走行用台車を提供するものである。
【課題を解決するための手段】
【０００６】
本発明の栽培ベッドは、栽培ベッドの両側壁の内側及び／又は外側に補強部を一体に設けたことを特徴とする。栽培ベッドの補強部は、例えば、棒状の肉厚部を一定間隔で複数設ける。
【０００７】
また、前記栽培ベッド上を走行可能な栽培ベッド走行用台車は、汎用の耕耘機や栽培用資材を必要に応じて搭載脱着できるフレームとこのフレームの４隅の下部に、栽培ベッドの両側壁の上部を両側から挟むフランジが形成されている車輪を備えたことを特徴とする。
【発明の効果】
【０００８】
本発明の栽培ベッドは、側壁の内側及び／又は外側に補強部を側壁と一体構造で設けたことにより、培地や耕耘時の荷重によって側壁が破損したり、外側へ膨らむのを防止できるとともに、保持支柱なしで栽培ベッドの端部を連結するだけで必要長さの栽培ベッドが得られるため、施工が従来の栽培ベッドに比べて容易となり、またコストを押さえることができる。
【０００９】
本発明の栽培ベッドにより別途レールを設けることなく栽培ベッド上を栽培ベッド走行用台車が走行可能となり、栽培ベッド走行用台車に汎用耕耘機を搭載することにより栽培ベッド内の培地耕耘ができ、また耕耘時以外には耕耘機を取り外して、資材運搬用に使用するなどの各種の作業に利用でき、汎用性に優れている。
【００１０】
従来の養液栽培用ベッドよりも培地量を約２倍に増やす必要があったため、培地や耕耘時の荷重による側壁の破損が懸念されていたが、本発明により、今後、普及拡大が見込まれる隔離養液土耕栽培において、設営のための保持用架台を必要としない構造的補強を施した栽培ベッドと、その栽培ベッド内を汎用の耕耘機で耕耘したり、その他の作業に使用できる、汎用性のある栽培ベッド走行用台車の提供が可能となる。
【発明を実施するための最良の形態】
【００１１】
本発明の栽培ベッド及び栽培ベッド走行用台車について図面を参照しながら説明する。
【実施例１】
【００１２】
図１（ａ）は本発明の栽培ベッドの第１実施例を示す斜視図、（ｂ）は（ａ）のＡ−Ａ断面図である。
【００１３】
図１において、栽培ベッド１は、排水溝２ａが形成された底部２とその両側に対向して一体に設けられた側壁３により上方が開放された断面コ字状に形成されている。栽培ベッド１の材質は特に限定されるものではないが、合成樹脂、特に通常よく使用されている発泡スチロールがよい。栽培ベッドは端部を長手方向に連結して使用される。
【００１４】
栽培ベッド１の側壁３の内側には、間隔をおいて垂直方向に補強部４として補強凸条が一体に形成される。補強凸条は、棒状の肉厚部を一定間隔で複数設け、その断面は、半円形、四角形でよい。補強部４の上端は、側壁３の上端より下方に位置するようにして、後述する栽培ベッド走行用台車の車輪のフランジに当たらないようにする。側壁３の厚みは、補強部４を設けるので、従来の栽培ベッドと同じ厚さでよく、厚くする必要はない。
【００１５】
本実施例の栽培ベッドは、側壁１に一体の補強部４を設けることにより、培地量を従来よりも増やすために栽培ベッド１の幅を広げても、保持支柱等を設けることなく、側壁３が外側へ膨らむことを防止でき、培地や耕耘時の荷重による側壁１の破損や膨らみを防止することができる。
【実施例２】
【００１６】
図２（ａ）は本発明の栽培ベッドの第２実施例を示す斜視図、（ｂ）は（ａ）のＢ−Ｂ断面図である。
【００１７】
本実施例は、栽培ベッド１の側壁の外側に、間隔をおいて垂直方向に補強部４を一体に形成した例である。
【００１８】
本実施例においても、第１実施例と同様に、培地量を従来よりも増やすために栽培ベッドの幅を広げても、側壁に一体の補強部を設けることにより、保持支柱等を設けることなく、側壁が外側へ膨らむことを防止でき、培地や耕耘時の荷重による側壁の破損を防止することができる。
【００１９】
また、外側に補強部を設けたので、栽培ベッドの幅が実施例１に比べて広くなり、耕耘機の作業がし易くなる。
【実施例３】
【００２０】
図３（ａ）は本発明の栽培ベッドの第３実施例を示す斜視図、（ｂ）は（ａ）のＣ−Ｃ断面図である。
【００２１】
本実施例は、補強部３を側壁２の内側及び外側に設けた例である。強度が第１実施例及び第２実施例に比べて大きくなるので、栽培ベッド１の幅を広くすることができ、それに伴って培地量が増加しても、側壁が外側へ膨らむことを防止でき、培地や耕耘時の荷重による側壁の破損を防止することができる。
【実施例４】
【００２２】
本発明の栽培ベッドを走行する栽培ベッド走行用台車台車（以下「台車」という。）について説明する。
【００２３】
栽培ベッドでは、栽培ベッドの列に沿って移動しながら、苗を植えたり、培地を入れたりあるいは耕したり、収穫したりするなどの各種の作業が行われる。作業を行う際には、耕耘機の移動、苗、培地あるいは資材の容器の運搬が必要となる。
【００２４】
第１〜３実施例に示すように、側壁に補強部を一体に設けることにより側壁の強度が大きくなり、耕耘機や各種容器を搭載した台車を側壁の上部に支持して栽培ベッドの長手方向に走行させることが可能となる。
【００２５】
図４（ａ）は本発明の台車に耕耘機を搭載した例を示す正面図、（ｂ）は同平面図、（ｃ）は同側面図及び車輪の拡大図である。
【００２６】
台車５は耕耘機や運搬容器を搭載する四角形フレーム６と、この四角形フレーム６の４隅の下部に取り付けられ、栽培ベッドの側壁３の上を走行する車輪７とで構成される。
【００２７】
四角形フレーム６は、栽培ベッドの幅と同程度の幅を有し、四角形フレーム６には耕耘機や運搬容器を支持する支持フレーム６ａが設けられている。
【００２８】
四角形フレーム６の四隅の下部にそれぞれ設けられた垂直の支柱６ｂの下端に昇降可能に車輪７が取り付けられる。四角形フレーム６の高さは車輪高さ調整プラグ８で調節できるようにする。四角形フレーム６の高さは、植物の高さや培地の深さ、耕耘機の種類などに応じて調整することにより、作業しやすくする。支柱６ｂには、台車５を所定の位置に停止させるストッパー９を設けて、作業中などに台車５が移動しないようにする。
【００２９】
車輪７の両側には、側壁３の上部の内側及び外側に位置するフランジ７ａが設けられる。車輪７のフランジ７ａにより側壁３の上部を内側及び外側から挟まれて台車７の脱輪を防止して栽培ベッド１に沿って走行させることができる。
【００３０】
耕耘を行う場合、台車５の車輪７を栽培ベッド１の側壁３の上に走行可能に載せた後、耕耘機１０を四角形フレーム６の上に載せて固定する。耕耘機１０の耕耘用スクリュー１０ａは四角形フレーム６のフレームの間から培地へ降ろすことができる。こうして耕耘機１０をセットした後、台車５をハンドル１３で押して栽培ベッド１に沿って耕耘作業を行っていく。
【００３１】
本発明の台車５は耕耘機だけでなく、苗や資材を運搬する運搬容器なども搭載できる用に汎用性を持たせている。
【００３２】
図５は苗の運搬容器を搭載した例を示す正面図である。
【００３３】
図５に示すように、運搬容器１１に並べた苗１２を台車５に載せ、ハンドル１３で押して栽培ベッド上を移動させながら作業を行うことができる。
【図面の簡単な説明】
【００３４】
【図１】（ａ）は本発明の栽培ベッドの第１実施例を示す斜視図、（ｂ）は（ａ）のＡ−Ａ断面図である。
【図２】（ａ）は本発明の栽培ベッドの第２実施例を示す斜視図、（ｂ）は（ａ）のＢ−Ｂ断面図である。
【図３】（ａ）は本発明の栽培ベッドの第３実施例を示す斜視図、（ｂ）は（ａ）のＣ−Ｃ断面図である。
【図４】（ａ）は本発明の栽培ベッド上を走行可能な台車を示す正面図、（ｂ）は同平面図、（ｃ）は同側面図及び車輪の拡大図である。
【図５】苗の運搬容器を搭載した例を示す正面図である。
【符号の説明】
【００３５】
１  栽培ベッド
２  底部
３  側壁
４  補強部（補強凸条）
５  台車
６  四角形フレーム
６ａ  支持フレーム
６ｂ  支柱
７  車輪
７ａ  フランジ
８  車輪高さ調整プラグ
９  ストッパー
１０  耕耘機
１０ａ  耕耘用スクリュー
１１  運搬容器
１２  苗
１３  ハンドル
【図１】
2007020431.tif 000003
【図２】
2007020431.tif 000004
【図３】
2007020431.tif 000005
【図４】
2007020431.tif 000006
【図５】
2007020431.tif 000007